(57)【要約】      （修正有）【課題】リジェネレイティブバーナーの設置台数を四台から三台に減らしても、四台用いた場合と同等の発熱量や炉内温度の均一化等が図ることができるリジェネレイティブバーナー用加熱炉を提供する。【解決手段】バーナー本体８と蓄熱器９で一台となるリジェネレイティブバーナー１，２，３が炉本体４に設置してあるリジェネレイティブバーナー用加熱炉において、リジェネレイティブバーナーを三台で一組として、同一時期においては二台を燃焼用に、残りの一台を吸引用にそれぞれ用いながら、三台を順番に燃焼用と吸引用に用いる。【選択図】図１
2007333218.tif 000002
【特許請求の範囲】
【請求項１】
バーナー本体（８）と蓄熱器（９）で一台となるリジェネレイティブバーナー（１，２，・・・）を、炉本体（４）に設置してあるリジェネレイティブバーナー用加熱炉において、
リジェネレイティブバーナー（１，２，３）を三台で一組として、炉本体（４）に設置し、同一時期においては二台を燃焼用に、残りの一台を吸引用にそれぞれ用いながら、三台を順番に燃焼用と吸引用に用いることを特徴とするリジェネレイティブバーナー用加熱炉。
【発明の詳細な説明】
【技術分野】
【０００１】
本発明は、リジェネレイティブバーナー用加熱炉に関する。
【背景技術】
【０００２】
リジェネレイティブバーナー用加熱炉としては、バーナー本体と蓄熱器で一台となるリジェネレイティブバーナーを二台分揃えて一組として、加熱炉に設置したものが知られている（特許文献１）。
【特許文献１】特開２００２−２７７１７１号公報
【０００３】
二台分で一組としてあるのは、一台分で燃焼すると共に、残りの一台分で排ガスを吸引し、燃焼と吸引を交互に繰り返すためである。従って、固定観念的に、二台分で一組として用いられていた。
【発明の開示】
【発明が解決しようとする課題】
【０００４】
ところで、加熱炉内が広い場合に発熱量を増やしたり、加熱炉内の雰囲気温度を均一化すること等を目的とした場合に、加熱炉に二組分のリジェネレイティブバーナーを設置することがあり（燃焼用、吸引用にそれぞれ二台のリジェネレイティブバーナーを用いる）、この場合、リジェネレイティブバーナーは、合計、四台となる。リジェネレイティブバーナーは、一台であっても、ある程度大きく、しかも、蓄熱器等の設備も要するので、四台も付けると、加熱炉全体の寸法が大きくなるし、コストが嵩むことになる。また、既存の加熱炉を改造してリジェネレイティブバーナーを取り付けようとした場合に、四台取り付けることが設置スペースの関係等から困難な場合や、不可能な場合もある。
【０００５】
本発明は上記実情を考慮したもので、その課題とするところは、四台を設置した場合と同等の機能を発揮しながらも、リジェネレイティブバーナーの設置台数を減らすことのできるリジェネレイティブバーナー用加熱炉を提供することである。
【課題を解決するための手段】
【０００６】
本発明は、バーナー本体と蓄熱器で一台となるリジェネレイティブバーナーを、炉本体に設置してあるリジェネレイティブバーナー用加熱炉を前提とする。そして、リジェネレイティブバーナーを三台で一組として、炉本体に設置し、同一時期においては二台を燃焼用に、残りの一台を吸引用にそれぞれ用いながら、三台を順番に燃焼用と吸引用に用いることを特徴とする。
【発明の効果】
【０００７】
本発明のリジェネレイティブバーナー用加熱炉によれば、同一時期においてはリジェネレイティブバーナーの二台を燃焼に用い、一台を排気用に用いるので、三台でありながらも、従来のリジェネレイティブバーナーを四台用いた場合と同等の発熱量や、炉内の雰囲気温度の均一化等を図ることができる。その結果、一台分、加熱炉全体の寸法を小さくでき、既存の加熱炉を改造してリジェネレイティブバーナーを取り付けることも容易となるし、コストの負担を下げられる。
【発明を実施するための最良の形態】
【０００８】
リジェネレイティブバーナー用加熱炉は、図１、図２に示すように、炉本体４の側面の一部に扉５を開閉可能に設け、炉本体４の内部を外部と隔絶して設け、炉本体４の側壁６の上部に三台のリジェネレイティブバーナー１，２，３を一組として設置し、炉本体４内への空気の供給及び炉本体４外への排ガスの吸引を行う主要回路７を各リジェネレイティブバーナー１，２，３に連通して設けてある。
【０００９】
各台のリジェネレイティブバーナー１，２，３は、バーナー本体８と蓄熱器９を一体化したユニットである。そして、主要回路７からの空気の供給と、別系統からの燃料の供給によって二台のバーナー本体８で燃焼を行い、一台のバーナー本体８から主要回路７を経て外部（大気）に排ガスを導くことによって吸引を行い、三台のバーナー本体８の燃焼と吸引を順番に行う。
【００１０】
主要回路７は、各リジェネレイティブバーナー１，２，３への空気の供給、及び排ガスの吸引を行うもので、各リジェネレイティブバーナー１，２，３には蓄熱器９側に流量調整弁１０、切替弁１１を順次接続し、切替弁１１の一方に給気ブロワ１２を、他方に排気ブロワ１３を接続してある。給気ブロワ１２から燃焼空気を供給する場合は、切替弁１１を図示しない制御装置によって給気ブロワ１２側に切り替え、切替弁１１から流量調整弁１０を経て蓄熱器９に燃焼空気を送り込み、蓄熱器９で加熱された燃焼空気がバーナー本体８へ導かれる。一方、排気ブロワ１３に排ガスを吸引する場合は、切替弁１１を排気ブロワ１３側に切り替えて、バーナー本体８から蓄熱器９に排ガスを吸引し、蓄熱器９で熱を排ガスから回収した後に、流量調整弁１０、切替弁１１を経て排気ブロワ１３に排ガスを導いて最終的に大気に放出する。
【００１１】
主要回路７の別例としては、図４に示すように、給気ブロワ１２の二次側（給気ブロワ１２から切替弁１１に向かう分岐路よりも一次側）に燃焼空気流量調整弁１６を配置して流量を大まかに調整し、各切替弁１１の一次側（給気ブロワ１２から各切替弁１１に向かう分岐路）に燃焼空気流量調整弁１４を配置して流量を微調整し、排気ブロワ１３の一次側（各切替弁１１からの排気路が集中した統一路）に唯一の排ガス流量調整弁１５を配置したものが挙げられる。三台のリジェネレイティブバーナー１，２，３の能力が同じ場合に燃焼用と吸引用を順番に変更しながらも一定の燃焼具合を持続するときには、切替弁１１を切替えるだけでよく、燃焼空気流量調整弁１４や排ガス流量調整弁１５の開度を変更せずにすむので、自動制御しやすい。つまり、リジェネレイティブバーナー１，２，３が燃焼から吸引に切り替わったとしても、吸引中の台に対応する微調用及びおおまかな調整用の燃焼空気流量調整弁１４，１６の開度を、直前の燃焼時に設定した状態のまま保持しておけば、次に吸引から燃焼に切り替わった場合にそのままの開度で使用できる。但し、各リジェネレイティブバーナー１，２，３の詰まり具合に差がある場合には、排ガス流量調整弁１５の開度を多少変更する制御を要する。
【００１２】
図示しない制御装置は、切替弁１１の切り替え、流量調整弁１０の流量調整を行いながら、三台のリジェネレイティブバーナー１，２，３の燃焼、吸引を自動制御する。まず、例えば、図３に示すように、No.1とNo.2のリジェネレイティブバーナー１，２で燃焼し、No.3のリジェネレイティブバーナー３で吸引を開始したとすると、所定時間経過後例えば４５秒経過後には、No.1とNo.3で燃焼すると共にNo.2で吸引し、さらに４５秒経過後には、No.2とNo.3で燃焼すると共にNo.1で吸引するという具合に燃焼と吸引を順番に行い、焼損を防止する。なお、二台のリジェネレイティブバーナーを一組として、二組のリジェネレイティブバーナーを炉本体に設置する従来のタイプの場合は、二台で燃焼し、他の二台で吸引するものであったが、今回のように一台のみで吸引するものとすると、炉内雰囲気を適正圧に保持するには、従来タイプの二倍程度の吸引圧力が排気ブロワ１３に要求される。
【００１３】
本発明は上記実施形態に限定されず、例えば、三本のバーナー本体８の設置位置は、炉本体４が平面視矩形の場合には、三本とも片側の側壁６に設けても良いし、二本を片側の側壁６に間隔をあけて設けると共にそのうちの一本と対向する位置であって反対側の側壁６に残りの一本を設けても良い。
【図面の簡単な説明】
【００１４】
【図１】リジェネレイティブバーナー用加熱炉を示す平面図である。
【図２】リジェネレイティブバーナー用加熱炉を示す縦断面図である。
【図３】燃焼、吸引のタイミングチャートである。
【図４】主要回路の別例を示す平面図である。
【符号の説明】
【００１５】
１リジェネレイティブバーナー、２リジェネレイティブバーナー、
３リジェネレイティブバーナー、４炉本体、５扉、６側壁、７主要回路、
８バーナー本体、９蓄熱器、１０流量調整弁、１１切替弁、１２給気ブロワ、
１３排気ブロワ、１４燃焼空気流量調整弁、１５排ガス流量調整弁、
１６燃焼空気流量調整弁
【図１】
2007333218.tif 000003
【図２】
2007333218.tif 000004
【図３】
2007333218.tif 000005
【図４】
2007333218.tif 000006